【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
ワイヤレスノードによるワイヤレス通信のための方法であって、
バンドル送信のバンドル長によって、前記バンドル送信における送信のために含める追加の基準信号の数を決定することと、
前記決定に基づいて、前記バンドル送信の先頭および／または中央においてのみ前記数の追加の基準信号を送信し、前記バンドル送信の残りの部分においてデータを送信することとを備える、方法。
【請求項２】
前記バンドル送信は、異なる周波数において送信されるサブフレームのバーストを備え、
前記追加の基準信号は、各バーストの同じサブフレームにおいて送信される、請求項１に記載の方法。
【請求項３】
前記追加の基準信号は、１つまたは複数のサブフレームの各々の同じスロットにおいて送信される、請求項１に記載の方法。
【請求項４】
前記追加の基準信号は、１つまたは複数のサブフレームの各々の同じシンボルにおいて送信される、請求項１に記載の方法。
【請求項５】
前記追加の基準信号は、他のタイプの信号を送信または受信するために使用されないリソース要素において送信される、請求項１に記載の方法。
【請求項６】
前記追加の基準信号の帯域幅は、前記バンドル送信の帯域幅に基づいて決定される、請求項１に記載の方法。
【請求項７】
前記バンドル送信において他のシグナリングを送信することをさらに備え、ここにおいて、前記他のシグナリングは、前記追加の基準信号と多重化される、請求項１に記載の方法。
【請求項８】
前記他のシグナリングは物理アップリンク制御チャネル（ＰＵＣＣＨ）を備える、請求項７に記載の方法。
【請求項９】
前記他のシグナリングは、あるタイプの物理ダウンリンク制御チャネル（ＰＤＣＣＨ）を備える、請求項７に記載の方法。
【請求項１０】
ワイヤレスノードによるワイヤレス通信のための方法であって、
バンドル送信のバンドル長によって、前記バンドル送信がある数の追加の基準信号を備えると決定することと、
前記決定に基づいて、前記バンドル送信の先頭および／または中央においてのみ前記数の追加の基準信号を受信し、前記バンドル送信の残りの部分においてデータを受信することとを備える、方法。
【請求項１１】
ワイヤレスノードによるワイヤレス通信のための方法であって、
バンドル送信のバンドル長によって、前記バンドル送信において送信される１つまたは複数の基準信号に適用する追加の送信電力を決定することと、
前記決定に基づいて、前記バンドル送信および基準信号を送信することとを備える、方法。
【請求項１２】
ワイヤレスノードによるワイヤレス通信のための方法であって、
バンドル送信のバンドル長によって、前記バンドル送信において送信されるときに別のワイヤレスノードによって１つまたは複数の基準信号に適用された追加の送信電力を決定することと、
前記決定に基づいて、前記バンドル送信および基準信号を処理することとを備える、方法。
【請求項１３】
請求項１−１２のうちのいずれか一項の方法を実行するための手段を備える、ワイヤレス通信のための装置。
【請求項１４】
コンピュータによって実行されると、前記コンピュータに請求項１−１２のうちのいずれか一項の方法を実行させる命令を備える、ワイヤレス通信のためのコンピュータ可読媒体。
【手続補正２】
【補正対象書類名】明細書
【補正対象項目名】０１１１
【補正方法】変更
【補正の内容】
【０１１１】
[00123]本開示についてのこれまでの説明は、任意の当業者が本開示を作製または使用できるようにするために提供される。本開示への種々の変更は当業者には容易に明らかになり、本明細書で定義された一般原理は、本開示の趣旨または範囲から逸脱することなく他の変形形態に適用され得る。したがって、本開示は、本明細書において説明された例および設計に限定されるものではなく、本明細書において開示された原理および新規の特徴に合致する最も広い範囲を与えられるべきである。
以下に本願の出願当初の特許請求の範囲に記載された発明を付記する。
［Ｃ１］
ワイヤレスノードによるワイヤレス通信のための方法であって、
バンドル送信のバンドル長に基づいて、前記バンドル送信において送信する１組の追加の基準信号を決定することと、
前記決定に基づいて、前記バンドル送信、基準信号および前記追加の基準信号を送信することとを備える、方法。
［Ｃ２］
前記追加の基準信号の量は、前記バンドル長に基づく、Ｃ１に記載の方法。
［Ｃ３］
前記バンドル送信は、異なる周波数において送信されるサブフレームのバーストを備え、
前記追加の基準信号は、各バーストの同じサブフレームにおいて送信される、Ｃ１に記載の方法。
［Ｃ４］
前記追加の基準信号は、１つまたは複数のサブフレームの各々の同じスロットにおいて送信される、Ｃ１に記載の方法。
［Ｃ５］
前記追加の基準信号は、１つまたは複数のサブフレームの各々の同じシンボルにおいて送信される、Ｃ１に記載の方法。
［Ｃ６］
前記追加の基準信号は、他のタイプの信号を送信または受信するために使用されないリソース要素において送信される、Ｃ１に記載の方法。
［Ｃ７］
前記他のタイプの信号は、セル固有基準信号（ＣＲＳ）、チャネル状態情報基準信号（ＣＳＩ−ＲＳ）、プライマリ同期信号（ＰＳＳ）、セカンダリ同期信号（ＳＳＳ）、物理ブロードキャストチャネル（ＰＢＣＨ）、または復調基準信号（ＤＭＲＳ）のうちの少なくとも１つを備える、Ｃ６に記載の方法。
［Ｃ８］
前記追加の基準信号の帯域幅は、前記バンドル送信の帯域幅に基づいて決定される、Ｃ１に記載の方法。
［Ｃ９］
前記バンドル送信において他のシグナリングを送信することをさらに備え、ここにおいて、前記他のシグナリングは、前記追加の基準信号と多重化される、Ｃ１に記載の方法。
［Ｃ１０］
前記他のシグナリングは物理アップリンク制御チャネル（ＰＵＣＣＨ）を備える、Ｃ９に記載の方法。
［Ｃ１１］
前記他のシグナリングは、あるタイプの物理ダウンリンク制御チャネル（ＰＤＣＣＨ）を備える、Ｃ９に記載の方法。
［Ｃ１２］
前記追加の基準信号の量はユーザ機器（ＵＥ）のモビリティ特性に基づく、Ｃ１に記載の方法。
［Ｃ１３］
前記ワイヤレスノードは前記ＵＥであり、
前記方法はさらに、前記モビリティ特性のインジケーションを送信することを備える、Ｃ１２に記載の方法。
［Ｃ１４］
前記ワイヤレスノードは基地局（ＢＳ）であり、
前記方法はさらに、前記ＵＥから前記モビリティ特性のインジケーションを受信することを備える、Ｃ１２に記載の方法。
［Ｃ１５］
ワイヤレスノードによるワイヤレス通信のための方法であって、
バンドル送信のバンドル長に基づいて、前記バンドル送信が１組の追加の基準信号を備えると決定することと、
前記決定に基づいて、前記バンドル送信、基準信号および前記追加の基準信号を受信することとを備える、方法。
［Ｃ１６］
前記追加の基準信号の量は、前記バンドル長に基づく、Ｃ１５に記載の方法。
［Ｃ１７］
前記バンドル送信は、異なる周波数において送信されるサブフレームのバーストを備え、
前記追加の基準信号は各バーストの同じサブフレームにおいて受信される、Ｃ１５に記載の方法。
［Ｃ１８］
前記追加の基準信号は、１つまたは複数のサブフレームの各々の同じスロットにおいて受信される、Ｃ１５に記載の方法。
［Ｃ１９］
前記追加の基準信号は、１つまたは複数のサブフレームの各々の同じシンボルにおいて受信される、Ｃ１５に記載の方法。
［Ｃ２０］
前記追加の基準信号は、他のタイプの信号を送信または受信するために使用されないリソース要素において受信される、Ｃ１５に記載の方法。
［Ｃ２１］
前記他のタイプの信号は、セル固有基準信号（ＣＲＳ）、チャネル状態情報基準信号（ＣＳＩ−ＲＳ）、プライマリ同期信号（ＰＳＳ）、セカンダリ同期信号（ＳＳＳ）、物理ブロードキャストチャネル（ＰＢＣＨ）、または復調基準信号（ＤＭＲＳ）のうちの少なくとも１つを備える、Ｃ２０に記載の方法。
［Ｃ２２］
前記追加の基準信号の帯域幅は前記バンドル送信の帯域幅に基づいて決定される、Ｃ１５に記載の方法。
［Ｃ２３］
前記バンドル送信において他のシグナリングを受信することをさらに備え、ここにおいて、前記他のシグナリングは、前記追加の基準信号と多重化される、Ｃ１５に記載の方法。
［Ｃ２４］
前記他のシグナリングは、物理アップリンク制御チャネル（ＰＵＣＣＨ）を備える、Ｃ２３に記載の方法。
［Ｃ２５］
前記他のシグナリングは、あるタイプの物理ダウンリンク制御チャネル（ＰＤＣＣＨ）を備える、Ｃ２３に記載の方法。
［Ｃ２６］
前記追加の基準信号の量は、ユーザ機器（ＵＥ）のモビリティ特性に基づく、Ｃ１５に記載の方法。
［Ｃ２７］
前記ワイヤレスノードは前記ＵＥであり、
前記方法はさらに、前記モビリティ特性のインジケーションを送信することを備える、Ｃ２６に記載の方法。
［Ｃ２８］
前記ワイヤレスノードは基地局（ＢＳ）であり、
前記方法はさらに、前記ＵＥから前記モビリティ特性のインジケーションを受信することを備える、Ｃ２６に記載の方法。
［Ｃ２９］
ワイヤレスノードによるワイヤレス通信のための方法であって、
バンドル送信のバンドル長に基づいて、前記バンドル送信において送信される１つまたは複数の基準信号に適用する追加の送信電力を決定することと、
前記決定に基づいて、前記バンドル送信および基準信号を送信することとを備える、方法。
［Ｃ３０］
ワイヤレスノードによるワイヤレス通信のための方法であって、
バンドル送信のバンドル長に基づいて、前記バンドル送信において送信されるときに別のワイヤレスノードによって１つまたは複数の基準信号に適用された追加の送信電力を決定することと、
前記決定に基づいて、前記バンドル送信および基準信号を処理することとを備える、方法。
［Ｃ３１］
ワイヤレス通信のための装置であって、
バンドル送信のバンドル長に基づいて、前記バンドル送信において送信する１組の追加の基準信号を決定し、
前記決定に基づいて、前記バンドル送信、基準信号および前記追加の基準信号を送信するように構成される少なくとも１つのプロセッサと、
前記少なくとも１つのプロセッサに結合されるメモリとを備える、装置。
［Ｃ３２］
ワイヤレス通信のための装置であって、
バンドル送信のバンドル長に基づいて、前記バンドル送信が１組の追加の基準信号を備えると決定し、
前記決定に基づいて、前記バンドル送信、基準信号および前記追加の基準信号を受信するように構成される少なくとも１つのプロセッサと、
前記少なくとも１つのプロセッサに結合されるメモリとを備える、装置。
［Ｃ３３］
ワイヤレス通信のための装置であって、
バンドル送信のバンドル長に基づいて、前記バンドル送信において送信される１つまたは複数の基準信号に適用する追加の送信電力を決定し、
前記決定に基づいて、前記バンドル送信および基準信号を送信するように構成される少なくとも１つのプロセッサと、
前記少なくとも１つのプロセッサに結合されるメモリとを備える、装置。
［Ｃ３４］
ワイヤレス通信のための装置であって、
バンドル送信のバンドル長に基づいて、前記バンドル送信において送信されるときに別のワイヤレスノードによって１つまたは複数の基準信号に適用された追加の送信電力を決定し、
前記決定に基づいて、前記バンドル送信および基準信号を処理するように構成される少なくとも１つのプロセッサと、
前記少なくとも１つのプロセッサに結合されるメモリとを備える、装置。
［Ｃ３５］
ワイヤレス通信のための装置であって、
バンドル送信のバンドル長に基づいて、前記バンドル送信において送信する１組の追加の基準信号を決定するための手段と、
前記決定に基づいて、前記バンドル送信、基準信号および前記追加の基準信号を送信するための手段とを備える、装置。
［Ｃ３６］
ワイヤレス通信のための装置であって、
バンドル送信のバンドル長に基づいて、前記バンドル送信が１組の追加の基準信号を備えると決定するための手段と、
前記決定に基づいて、前記バンドル送信、基準信号および前記追加の基準信号を受信するための手段とを備える、装置。
［Ｃ３７］
ワイヤレス通信のための装置であって、
バンドル送信のバンドル長に基づいて、前記バンドル送信において送信される１つまたは複数の基準信号に適用する追加の送信電力を決定するための手段と、
前記決定に基づいて、前記バンドル送信および基準信号を送信するための手段とを備える、装置。
［Ｃ３８］
ワイヤレス通信のための装置であって、
バンドル送信のバンドル長に基づいて、前記バンドル送信において送信されるときに別のワイヤレスノードによって１つまたは複数の基準信号に適用された追加の送信電力を決定するための手段と、
前記決定に基づいて、前記バンドル送信および基準信号を処理するための手段とを備える、装置。
［Ｃ３９］
ワイヤレス通信のためのコンピュータ可読媒体であって、
バンドル送信のバンドル長に基づいて、前記バンドル送信において送信する１組の追加の基準信号を決定するコードと、
前記決定に基づいて、前記バンドル送信、基準信号および前記追加の基準信号を送信するコードとを備える、コンピュータ可読媒体。
［Ｃ４０］
ワイヤレス通信のためのコンピュータ可読媒体であって、
バンドル送信のバンドル長に基づいて、前記バンドル送信が１組の追加の基準信号を備えると決定するコードと、
前記決定に基づいて、前記バンドル送信、基準信号および前記追加の基準信号を受信するコードとを備える、コンピュータ可読媒体。
［Ｃ４１］
ワイヤレス通信のためのコンピュータ可読媒体であって、
バンドル送信のバンドル長に基づいて、前記バンドル送信において送信される１つまたは複数の基準信号に適用する追加の送信電力を決定するコードと、
前記決定に基づいて、前記バンドル送信および基準信号を送信するコードとを備える、コンピュータ可読媒体。
［Ｃ４２］
ワイヤレス通信のためのコンピュータ可読媒体であって、
バンドル送信のバンドル長に基づいて、前記バンドル送信において送信されるときに別のワイヤレスノードによって１つまたは複数の基準信号に適用された追加の送信電力を決定するコードと、
前記決定に基づいて、前記バンドル送信および基準信号を処理するコードとを備える、コンピュータ可読媒体。